(57)【要約】【課題】  土壌や土質および地盤改良工事における深層及び浅層の各混合時の流動化処理土の施工管理を、より効果的にする撹拌促進手段を備えたバケットミキサー付き土壌や土質および地盤改良機械を提供する。【解決手段】  バケットミキサーにおけるバケット２内に、掘削機能と回転攪拌機能を持つ回転攪拌翼５を複数枚備え、隣り合う２枚の前記回転攪拌翼の間に、撹拌促進手段として非回転攪拌翼１７を備えた。【選択図】      図１
2011047155.tif 000002
【特許請求の範囲】
【請求項１】
バケット内に、掘削機能と回転攪拌機能を持つ回転攪拌翼を複数枚備える土壌や土質および地盤改良機械において、
隣り合う２枚の前記回転攪拌翼の間に、非回転攪拌翼を備えたことを特徴とするバケットミキサー付き土壌や土質および地盤改良機械。
【請求項２】
前記複数の回転攪拌翼のそれぞれは、前記バケット内に横向きに掛け渡された回転軸に取付けられて、該回転軸を間にしてその直径方向に延びる少なくとも２枚のブレードから成り、前記複数の回転攪拌翼はまた、それぞれの延在方向が互いに異なるようにされていることを特徴とする請求項１に記載のバケットミキサー付き土壌や土質および地盤改良機械。
【請求項３】
前記非回転攪拌翼は、回転軸を間にしてその直径方向に延びるように配置されてその両端がバケット内の固定部に固定され、その中間部を前記回転軸が回転可能に貫通していることを特徴とする請求項２に記載のバケットミキサー付き土壌や土質および地盤改良機械。
【発明の詳細な説明】
【技術分野】
【０００１】
本発明は、土壌や土質および地盤改良工事における深層及び浅層の各混合時の流動化処理土の施工管理に適したバケットミキサー付き土壌や土質および地盤改良機械に関する。
【背景技術】
【０００２】
従来の土壌や土質および地盤改良工法は、現地土壌とセメントや水、その他の添加材を機械撹拌混合して固化させることにより、次のように行われている。
【０００３】
この地盤改良工法では、図６に示されるように、建造物の基礎を構築すべき位置の地盤の現地土壌を掘削・排土して所定大きさの空所５２を形成する空所形成作業と、空所５２内でセメント等の固化材と水とを撹拌混合して固化材混入スラリーを生成する固化材混入スラリー生成作業と、空所５２内で固化材混入スラリーと先に掘削・排土した現地土壌Ｓを撹拌混合して固化材と現地土壌混合スラリーを生成する固化材・現地土壌混合スラリー生成作業とを順次行い、その固化材と現地土壌混合スラリーを固化させることによって改良地盤（改良体Ｋ）を構築している（特許文献１）。
【０００４】
なお、この土壌や土質および地盤改良工法で構築される改良体Ｋは、建造物の基礎が設置される部分ごとに平面四角形状に形成してもよく、又は各基礎にまたがるように連続壁状態に形成してもよい。なお、改良体を連続壁状態で形成する場合は、適宜長さ（例えば２〜３ｍ）に区分けしながら行うとよい。
【０００５】
空所形成作業では、建造物の基礎が構築される位置の現地土壌は掘削機６０を使用して掘削・排土し、その掘削した現地土壌Ｓを空所５２の近くに盛土しておく。このように、予め空所５２を形成すると、空所５２の底部の支持地盤の状態を目視又は接触等によって直接確認することができる。しかし、空所が狭い時や少ない場合は、底部の支持層を試掘確認したら直ちに本施工に入る事もできる。
【０００６】
なお、形成される空所５２は、地表から比較的浅い範囲に形成されるために、掘削機６０としてバックホーのような比較的簡易な掘削機（中型機）が使用可能である。また形成される空所深さが約５ｍ以深の場合は、施工機械のアームが長い大型機に変えて施工を行うことができる。
【０００７】
また、掘削機６０は、バケット６１部分に撹拌装置６２を備えており、バケット６１による掘削機能と撹拌装置６２による回転撹拌機能を兼備している。以下では、このようなバケットによる掘削機能と攪拌装置による攪拌機能を兼備しているものをバケットミキサーと呼ぶこととする。
【０００８】
形成した空所５２の付近には、固化材を所定量ずつ分包した複数個の固化材入り袋Ｃａを運んでおく。このようにしておくと、計量しなくても１回当たり何袋分の固化材を投入するかで固化材量を把握できる。又、空所５２の近くに水管６３の注水口６４を導いておく。なお、水管６３には、バルブ６５と流量計６６が設けられており、流量計６６を見ながら空所５２内に注水すると、正確な量を加水できる。
【０００９】
また、空所付近に余裕がある敷地の場合は、プラント式にセメント固化材と水を予め撹拌混合して排出ポンプと輸送ホースで空所５２まで送り、投入量を計測しながら撹拌混合する方法もできる。
【先行技術文献】
【特許文献】
【００１０】
【特許文献１】特開２００８−１０６４６７号公報
【発明の概要】
【発明が解決しようとする課題】
【００１１】
これまでのバケットミキサーは、バケット内に掛け渡した回転軸に、その軸方向に間隔をおいて複数の回転撹拌翼が取付けられているが、回転撹拌翼の取り付け間隔より撹拌混合したい現地土の土塊の大きさが大きい場合は、回転撹拌翼の取り付けた間隔や格子網目の隙間から落下や送出がなされず、そこで空回りや供回りが起こり迅速な粉砕ができず効率が上がらない。
【００１２】
本発明は、土壌や土質および地盤改良工事における深層及び浅層の各混合時の流動化処理土の施工管理を、より効果的にする撹拌促進手段を備えたバケットミキサー付き土壌や土質および地盤改良機械を提供しようとするものである。
【課題を解決するための手段】
【００１３】
本発明によるバケットミキサー付き土壌や土質および地盤改良機械は、バケット内に、掘削機能と回転攪拌機能を持つ回転攪拌翼を複数枚備え、隣り合う２枚の前記回転攪拌翼の間に、非回転攪拌翼を備えたことを特徴とする。
【００１４】
本発明によるバケットミキサー付き土壌や土質および地盤改良機械においては、前記複数の回転攪拌翼のそれぞれは、前記バケット内に横向きに掛け渡された回転軸に取付けられて、該回転軸を間にしてその直径方向に延びる少なくとも２枚のブレードから成り、前記複数の回転攪拌翼はまた、それぞれの延在方向が互いに異なるようにされていることが望ましい。この場合、前記非回転攪拌翼は、回転軸を間にしてその直径方向に延びるように配置されてその両端がバケット内の固定部に固定され、その中間部を前記回転軸が回転可能に貫通するように構成される。
【発明の効果】
【００１５】
本発明によれば、バケットミキサー付き土壌や土質および地盤改良機械におけるバケットミキサーの回転軸に複数枚の回転撹拌翼を設置し、しかも回転攪拌翼と交互に且つ適切な間隔をおいて非回転撹拌翼を配置したことにより、回転攪拌翼と非回転攪拌翼との間での土塊の切断や粉砕の効率が良くなり、結果的に施工性能を向上させることができる。
【００１６】
従って、本発明によるバケットミキサー付き土壌や土質および地盤改良機械によれば、施工時間の短縮化や施工品質の向上を実現することができる。
【図面の簡単な説明】
【００１７】
【図１】本発明によるバケットミキサー付き土壌や土質および地盤改良機械を、バックホーに適用した場合におけるバケットミキサーを側面側から見た断面図である。
【図２】図１に示したバケットミキサーの一部断面正面図である。
【図３】図１に示したバケットミキサーの側面図である。
【図４】図１に示したバケットミキサーの正面図である。
【図５】本発明によるバケットミキサー付き土壌や土質および地盤改良機械の一例である、バックホーと呼ばれる機械による掘削、攪拌を説明するための図である。
【図６】従来の土壌や土質および地盤改良工法の一例を説明するための斜視図である。
【図７】従来型と本発明によるバケットミキサーに対して行なった性能比較試験の結果を示す図である。
【発明を実施するための形態】
【００１８】
以下に、流動化処理土の施工管理に適した、本発明によるバケットミキサー付き土壌や土質および地盤改良機械の実施形態について、図１〜図５を参照して説明する。
【００１９】
図５は、本発明によるバケットミキサー付き土壌や土質および地盤改良機械の一例としてバックホーと呼ばれる機械による掘削、攪拌を示す。
【００２０】
バックホー７０は、第１アーム７１と第２アーム７２を有し、第２アーム７２の先端にバケットミキサー７３を備える。
【００２１】
図５（Ａ）は、バックホー７０が、第１アーム７１と第２アーム７２を介してバケットミキサー７３を改良土層（地盤）内に挿入し、掘削している状態を示す。
【００２２】
図５（Ｂ）は、バックホー７０が、バケットミキサー７３を上下左右方向に移動させて地盤内の改良土層内を攪拌している状態を示す。
【００２３】
このようなバックホー等による機械を使用して建造物の基礎が構築される位置の現地土壌を掘削・排土し、流動化処理土の施工管理を行なうときの工程については、図６を参照して説明したので、この工程と同様な点の説明は省略する。
【００２４】
図７は、本発明による新案型（回転攪拌翼のブレード総数６枚（３箇所×２枚））と従来型（回転攪拌翼のブレード総数１０枚（５箇所×２枚））のバケットミキサーについて行った性能比較試験の結果を示す。図７（Ａ）は、バケットミキサーの機械性能や仕様を示し、図７（Ｂ）はその比較試験の結果である。
【００２５】
図７のバケットミキサーの性能比較試験から、砂質土は従来型より新案型が低い強度となるが、他の土質（ロームと粘性土）では強度の差が少なく同等の結果となる。これらから、砂質土の地盤は良く撹拌できる地盤材料で大きな強度（一軸圧縮強度試験）が得られるが、他の土質（ロームと粘性土）では撹拌が十分でなくかつ弱く低い強度なのにも関わらず、その差が顕著に現れないのはバケットミキサーの撹拌効率に寄与しているといえる。
【００２６】
図１〜図４は、本発明によるバケットミキサー付き土壌や土質および地盤改良機械を、図５で説明したバックホーに適用した場合におけるバケットミキサーを示す図であり、図１は側面側から見た断面図、図２は一部断面正面図、図３は側面図、図４は正面図を示す。
【００２７】
バケットミキサーはバケット２を有し、ハウジング３内には、横向きに回転軸４が回転可能に支持されている。回転軸４には、軸方向に間隔をおいてここでは３枚の回転撹拌翼５が取付けられている。回転攪拌翼５は、回転軸４を間にしてその直径方向に延びる少なくとも２枚のブレードから成り、各ブレードの先端には周方向に延びるカッター（爪）６が取付けられている。図１には回転攪拌翼５の正回転方向を実線の矢印、逆転方向を破線の矢印でそれぞれ示しており、ブレード先端におけるカッター６の延在方向は正回転方向である。３枚の回転攪拌翼５はまた、回転軸４を中心とする延在方向の角度が互いに異なるようにされている。
【００２８】
本発明によるバケットミキサーは、隣り合う回転撹拌翼５の間に適切な間隔をおいて非回転撹拌翼（固定翼）１７を攪拌促進ブレードとして備えることを特徴とする。非回転攪拌翼１７は、回転軸４を間にしてその直径方向に延び、両端がハウジング３（バケット２）の固定部に固定され、中間部を回転軸４が回転可能に貫通している。ここでは、非回転攪拌翼１７の一端はハウジング３の後部の上部内壁、他端はハウジング３の開口に近い前端側にそれぞれ固定されているが、固定位置はこれらの場所に限定されるものではない。非回転攪拌翼１７は、回転攪拌翼５が３枚の場合には２枚で回転攪拌翼の数に応じて設置枚数も変わる。また、ここでは、２枚の非回転攪拌翼１７は、回転軸４を中心とする延在方向の角度が同じになるようにしているが、これに限定されるものではない。
【００２９】
次に、ハウジング３に設置されている動力伝達部７について説明する。動力伝達部７は、油圧モーター８と、油圧モーター８の出力軸に固定されている第１歯車９と、回転軸４に固定されている第２歯車１０と、第１歯車９と第２歯車１０の間に掛け渡されているチェーン１１とから構成される。
【００３０】
土壌や土質および地盤改良用の固化剤液は、グラウトホース１２内を流れてハウジング３内に至り、４箇所の固化剤液吐出口（ノズル）（図示省略）から各回転攪拌翼５の付近に流出する。
【００３１】
バケット２には傾斜計１４が設置されるが、傾斜計はバックホーのアーム部にも設置（２軸式の場合２箇所）される。図示しない制御装置は、各アーム長と傾斜計の検出した角度から傾斜計を設置した各位置を演算し、基準の地表面からバケット２の先端刃先までの位置と深さを算出する。
【００３２】
バケット２の下部前端には、４個の爪（カッター）１５が固定されている。図示は省略しているが、ハウジング３の下部における後部は網目格子とされる。この網目格子は、格子より小さい粘性土やローム・シルト粘土の土塊や砂利・土砂は通過させるが、それより大きい土塊や砂礫、またはごみ等は通過させない役目をする。
【００３３】
油圧モーター８が回転すると、動力伝達部７を介して回転撹拌翼５は図１に実線で示される正転方向に回転するので、バケット２内に取り込まれた現地土壌と固化剤液吐出口から導入された固化剤液が撹拌される。
【００３４】
なお、回転撹拌翼５が図１に破線で示される逆転方向に回転すると、網目格子を通過できなかった砂礫や小石やごみ等がハウジング３の開口から排出される。
【００３５】
以上説明してきたように、バケットミキサーの回転軸４に複数枚の回転撹拌翼５を設置し、しかも回転攪拌翼５と交互に且つ適切な間隔をおいて非回転撹拌翼１７を配置したことにより、回転攪拌翼５と非回転攪拌翼１７の間での土塊の切断や粉砕の効率が良くなり、結果的に施工性能を向上させることができる。つまり、回転軸４を回転させると、回転撹拌翼５と非回転撹拌翼１７との間で強制的にせん断（はさみで切るような状態）や粉砕が行えるので、撹拌促進手段としての効果を創出できる。
【００３６】
本発明によるバケットミキサー付き土壌や土質および地盤改良機械は、土壌や土質および地盤改良工事における深層及び浅層の各混合時の流動化処理土の施工管理に適し、施工性能や施工時間などの効率向上に寄与する。
【００３７】
なお、図示しての詳しい説明は省略するが、回転軸は１軸のみならず、２軸や多数軸でも同じ効果が得られる。
【符号の説明】
【００３８】
２    バケット
３    ハウジング
４    回転軸
５    回転撹拌翼
６    カッター
７    動力伝達部
８    油圧モーター
９    第１歯車
１０  第２歯車
１１  チェーン
１２  グラウトホース
１４  傾斜計
１５  バケット部爪（カッター）
１７  非回転撹拌翼
【図１】
2011047155.tif 000003
【図２】
2011047155.tif 000004
【図３】
2011047155.tif 000005
【図４】
2011047155.tif 000006
【図５】
2011047155.tif 000007
【図６】
2011047155.tif 000008
【図７】
2011047155.tif 000009
【手続補正書】
【提出日】平成22年11月17日(2010.11.17)
【手続補正１】
【補正対象書類名】特許請求の範囲
【補正対象項目名】全文
【補正方法】変更
【補正の内容】
【特許請求の範囲】
【請求項１】
バケット内に、掘削機能と回転攪拌機能を持つ回転攪拌翼を複数枚備える土壌や土質および地盤改良機械において、
隣り合う２枚の前記回転攪拌翼の間に、非回転攪拌翼を備え、
前記非回転攪拌翼は、前記回転攪拌翼の回転軸を間にしてその直径方向に延びるように配置されてその両端がバケット内の固定部に固定され、その中間部を前記回転軸が回転可能に貫通していることを特徴とするバケットミキサー付き土壌や土質および地盤改良機械。
【請求項２】
前記複数の回転攪拌翼のそれぞれは、前記バケット内に横向きに掛け渡された前記回転軸に取付けられて、該回転軸を間にしてその直径方向に延びる少なくとも２枚のブレードから成り、前記複数の回転攪拌翼はまた、それぞれの延在方向が互いに異なるようにされていることを特徴とする請求項１に記載のバケットミキサー付き土壌や土質および地盤改良機械。